(57)【要約】【課題】カバーなどを用いることなく発熱部分を人の首、肩、腰などに宛がって固定できるうえ、肩に使用した際に中部僧帽筋に温熱を効果的に与えられる温熱具を提供する。【解決手段】温熱具１は、発熱材料２と、発熱材料２を収容する発熱部３と、発熱材料２を収容せずかつ発熱部３の左右の側縁３２Ａ，３２Ｂから突き出た一対のベルト部４とを備える。発熱部３の下縁３１は、一対のベルト部４の下縁４１よりも下側に向かって凸状に突き出ている。一対のベルト部４の下縁４１は、発熱部３の下縁３１と滑らかに繋がっている。【選択図】図１
2020081414.tif 000002
【特許請求の範囲】
【請求項１】
発熱材料と、
前記発熱材料を収容する発熱部と、
前記発熱材料を収容せずかつ前記発熱部の左右の側縁からそれぞれ突き出た一対のベルト部と、を備え、
前記発熱部の下縁は、一対の前記ベルト部の下縁よりも下側に向かって凸状に突き出ており、
一対の前記ベルト部の下縁は、前記発熱部の下縁と滑らかに繋がっている、温熱具。
【請求項２】
一対の前記ベルト部の下縁は、前記発熱部との接続部分において、前記発熱部の下縁の接線方向に延びる、請求項１に記載の温熱具。
【請求項３】
前記発熱部の両側縁は、上端が下端よりも内側に位置するように傾斜している、請求項１又は２に記載の温熱具。
【請求項４】
一対の前記ベルト部の上縁は、前記発熱部の上縁と一直線となるように繋がっている、請求項１〜３のいずれかに記載の温熱具。
【請求項５】
前記発熱部は、左右の側縁の下端同士を結ぶように前記発熱材料の移動を規制する規制ラインが設けられることで、前記規制ラインより上側の本体部と、前記規制ラインより下側の裾部とに区画されている、請求項１〜４のいずれかに記載の温熱具。
【請求項６】
前記発熱部の本体部には、当該本体部を左右方向に複数の領域に区画するように、前記発熱材料の移動を規制する第２規制ラインが１又は複数設けられている、請求項１〜５のいずれかに記載の温熱具。
【請求項７】
一対の前記ベルト部は、少なくとも先端側の部分において先端に向かうに連れて上下方向の長さが小さくなるように形成されている、請求項１〜６のいずれかに記載の温熱具。
【請求項８】
前記発熱材料があずきである、請求項１〜７のいずれかに記載の温熱具。
【請求項９】
身体の首、肩又は腰に温熱を与えるための、請求項１〜８のいずれかに記載の温熱具の使用。
【請求項１０】
請求項１〜８のいずれかに記載の温熱具を用いて身体の首、肩又は腰に温熱を与える、温熱具の使用方法。
【発明の詳細な説明】
【技術分野】
【０００１】
本発明は、身体に温熱を与えるために使用される温熱具に関する。
【背景技術】
【０００２】
温熱具を用いて身体の所定部位を温めることで、当該部位の凝りや痛みを和らげることが従来から行われている。この種の温熱具としては、首や肩に当てて使用されるものが多く提案されている（例えば特許文献１を参照）。
【０００３】
特許文献１の温熱具は、熱媒体が充填された偏平かつ平面視長方形状の胴部が可撓自在に形成されており、胴部が人の首や肩、腰などに沿うように撓曲して宛がわれることで、当該部位を保温（又は冷却）している。
【先行技術文献】
【特許文献】
【０００４】
【特許文献１】特許第５１１９３６６号公報
【発明の概要】
【発明が解決しようとする課題】
【０００５】
しかし、特許文献１の温熱具は、使用時には布製の細長い袋状のカバー内に収納され、カバーを介して人の首、肩、腰などに固定される。よって、温熱具の使用にはカバーを用意する必要があるため、使用時に手間がかかるうえ、カバーの管理も面倒である。また、特許文献１の温熱具を人の肩に使用した際、肩の凝りや痛みの原因となる筋肉は、僧帽筋の中でも背中の上部に広がる中部僧帽筋であり、中部僧帽筋は下部が逆三角形を呈しているが、特許文献１の温熱具では、胴部が平面視長方形状であるため、中部僧帽筋に温熱を効果的に与えることができないという課題がある。
【０００６】
本発明は上記課題を解決するためになされたものであり、カバーなどを用いなくても人の首、肩、腰などに宛がって固定することができるうえ、肩に使用した際に中部僧帽筋に温熱を効果的に与えることができる温熱具を提供することを目的とする。
【課題を解決するための手段】
【０００７】
本発明の温熱具は、発熱材料と、前記発熱材料を収容する発熱部と、前記発熱材料を収容せずかつ前記発熱部の左右の側縁からそれぞれ左右に反対向きに延びる一対のベルト部と、を備え、前記発熱部の下縁は、一対の前記ベルト部の下縁よりも下側に向かって凸状に突き出ており、一対の前記ベルト部の下縁は、前記発熱部の下縁と滑らかに繋がっていることを特徴とする。
【０００８】
本発明の温熱具においては、一対の前記ベルト部の下縁は、前記発熱部との接続部分において、前記発熱部の下縁の接線方向に延びることが好ましい。
【０００９】
また、本発明の温熱具においては、前記発熱部の両側縁は、上端が下端よりも内側に位置するように傾斜していることが好ましい。
【００１０】
また、本発明の温熱具においては、一対の前記ベルト部の上縁は、前記発熱部の上縁と一直線となるように繋がっていることが好ましい。
【００１１】
また、本発明の温熱具においては、前記発熱部は、左右の側縁の下端同士を結ぶように前記発熱材料の移動を規制する規制ラインが設けられることで、前記規制ラインより上側の本体部と、前記規制ラインより下側の裾部とに区画されていることが好ましい。
【００１２】
また、本発明の温熱具においては、前記発熱部の本体部には、当該本体部を左右方向に複数の領域に区画するように、前記発熱材料の移動を規制する第２規制ラインが１又は複数設けられていることが好ましい。
【００１３】
また、本発明の温熱具においては、一対の前記ベルト部は、少なくとも先端側の部分において先端に向かうに連れて上下方向の長さが小さくなるように形成されていることが好ましい。
【００１４】
また、本発明の温熱具においては、前記発熱材料があずきであることが好ましい。
【００１５】
また、本発明は、身体の首、肩又は腰に温熱を与えるための、上述したいずれかの構成の温熱具の使用、及び、上述したいずれかの構成の温熱具を用いて身体の首、肩又は腰に温熱を与える、温熱具の使用方法を提供する。
【発明の効果】
【００１６】
本発明の温熱具によれば、一対のベルト部により発熱部を人の首の後側、肩（背中の上部）、背中、腰などに巻き付ける又は押し当てるなどすることにより固定することができる。よって、従来技術のようにカバーを用いなくても、発熱部に収容された発熱材料から発生する温熱により身体の上記部位に温熱を与えることができる。このとき、一対のベルト部を左右に引っ張って発熱部を身体の所定部位に固定することで、発熱部の一対のベルト部の間の本体部は身体の表面に強く押し付けられて密着する。さらに、発熱部の下縁が一対のベルト部の下縁と滑らかに繋がれていて、一対のベルト部を左右に引っ張った際にこの引っ張り力により発熱部の下縁が良好に身体に押し付けられるので、身体の表面から浮かずに接触しやすくなる。そのため、発熱部の裾部も身体の表面に密着する。
【００１７】
このように、発熱部の全体が身体に密着するので、温熱具を首の後側、肩（背中の上部）、腰、背中などに当てて使用した際に、当該部位を広範囲に温めることができ、当該部位の凝りや痛みの原因である筋肉に効果的に温熱を与えることができる。特に温熱具を肩（背中の上部）に当てて使用した際には、発熱部の下縁が下側に向かって凸状に突き出ていることから、肩の凝りや痛みの原因となる中部僧帽筋に対して、中部僧帽筋の下部まで効果的に温熱を与えることができる。
【図面の簡単な説明】
【００１８】
【図１】本実施形態の温熱具の正面図である。
【図２】本実施形態の温熱具の平面図である。
【図３】本実施形態の温熱具の底面図である。
【図４】図１のＡ−Ａ部分を拡大して示す正面図である。
【図５】図１のＡ−Ａ部分を拡大して示すＢ−Ｂ断面図である。
【図６】図１のＣ−Ｃ断面図である。
【図７】本実施形態の温熱具を肩に使用した状態の背面図（上）及び斜視図（下）である。
【図８】本実施形態の温熱具を首に使用した状態の背面図（上）及び斜視図（下）である。
【図９】本実施形態の温熱具を腰に使用した状態の背面図（上）及び斜視図（下）である。
【発明を実施するための形態】
【００１９】
以下、本発明に係る温熱具の実施形態について図面を参照しつつ説明する。図１〜図６は、本実施形態の温熱具１を示す。温熱具１は、発熱材料２と、発熱材料２を収容する発熱部３と、発熱材料２を収容しない一対のベルト部４とを備えており、一対のベルト部４は発熱部３の左右の側縁から突き出ている。温熱具１は、一対のベルト部４により発熱部３を人の首の後側、肩（背中の上部）、背中、腰などに巻き付ける又は押し当てることにより固定して使用するものであり、発熱部３に収容された発熱材料２から発生する温熱により身体の上記部位をじっくりと温めることで、疲れを癒したり、凝りをほぐしたり、リラックス効果を付与することを目的とするものである。
【００２０】
発熱材料２は、何らかの手段により熱を発生することによって身体に温熱を付与できるものであれば特に限定されるものではなく、例えば使い捨てカイロなどに用いられているような空気との接触により発熱する組成物や、電子レンジでマイクロ波の照射を受けることで発熱する材料（例えばフェライトなどのセラミック粉末）などを用いることもできるが、好ましくはあずきを用いることができる。なお、発熱材料として上記発熱組成物を袋体に封入した状態で発熱部３に収容してもよいし、発熱材料として電子レンジで加熱されるゲル化剤を袋体に封入した状態で発熱部３に収容してもよい。この場合、発熱材料２だけを使い捨てとし、新たなものと交換できるようにしてもよい。
【００２１】
あずきは、水分を多く含有しており、電子レンジなどで温めることで水分が蒸発して蒸気が発生し、この蒸気が有する熱により温熱を与える。あずきの蒸気による温熱は湿熱であり、湿気のない温熱（乾熱）に比べて体の奥まで届くため、温熱効果が効果的になる。そのうえ、あずきは、蒸発により内部の水分を失っても、失った水分を空気中から吸収するので、所定時間の経過後に再び電子レンジで温めるだけで繰り返し使うことができるため、経済的である。
【００２２】
温熱具１は、図１〜図６に示すように、左右方向の中心に位置する縦中央線を挟んで左右対称の形状を呈している。温熱具１は、２枚のシートを重ね合わせ、２枚のシートの外周縁同士を例えば縫い合わせるなどして接合することで袋状にするとともに、発熱部３の両側縁３２Ａ，３２Ｂに当たる位置で２枚のシートを例えば縫い合わせるなどして接合することで、発熱部３と一対のベルト部４とが一体的に形成されている。
【００２３】
上述した２枚のシートは、柔軟性を有していれば特に限定されるものではなく、例えば織布や不織布、編物などで構成でき、繊維素材も公知のものを選択することができ、例えば綿などの天然繊維；レーヨンなどの半合成繊維；ポリプロピレン、ポリエチレン、ポリエステルなどの合成繊維；及び各種繊維を混ぜた繊維を用いることができる。なお、使用者側のシートは発熱材料２の温熱を効果的に使用者の肌に伝達する点、肌触りの点などからポリエステルと綿とを混ぜた繊維が好ましく、肌触りの点で起毛していることがより好ましい。また、使用者と反対側のシートは発熱材料２の温熱を外部に逃がさずに保温する点でポリエステルが好ましい。
【００２４】
また、上述した２枚のシートの目付は、特に限定されるものではないが、いずれも目付が１００ｇ／ｍ２以上４００ｇ／ｍ２以下であることが好ましく、２４０ｇ／ｍ２以上２７０ｇ／ｍ２以下であることが特に好ましい。
【００２５】
発熱部３は、上縁３０が直線状に形成されていて、一対のベルト４の上縁４０と一直線となるように繋がっている。一方で、発熱部３の下縁３１は、一対のベルト部４の下縁４１よりも下側に向かって凸状に突き出ており、左右の端側が小さく中央側が大きく出っ張っている。また、下縁３１は、左右方向の中央に丸みの帯びた頂部を有するなだらかな略三角形状に形成されている。また、下縁３１は、全体的に波打つことなく（凹凸がなく）かつ滑らかに湾曲しており、一対のベルト部４の下縁４１と繋がる左右の端部分が上に凸の曲線状をなすとともに、中央部分が下に凸の曲線状をなしている。なお、下縁３１は必ずしも曲線のみで構成されている必要はなく、滑らかに接続されていれば、曲線と直線との組み合わせで構成されていてもよい。
【００２６】
発熱部３の下縁３１は、図７に示すように、発熱部３を使用者の肩（背中の上部）に当てた際に、肩の凝りや痛みの原因である中部僧帽筋を良好に覆うことができるように、上述した凸状に形成されている。中部僧帽筋は、僧帽筋の中でも背中の上部に広がる筋肉であり、頚椎の下位から肩の端（肩峰）に広がっている。また、中部僧帽筋は、胸椎の上位から肩甲骨の上の出っ張り（肩甲棘）に沿って肩の端（肩峰）に広がっており、その下部は逆三角形状を呈している。発熱部３の下縁３１は、この中部僧帽筋の下部の形状に合わせるために凸状に形成されている。
【００２７】
図１及び図４に示すように、発熱部３の両側縁３２Ａ，３２Ｂは、直線状に形成されているが、いずれも上縁３０に対して垂直ではなく斜めを向いており、上端が下端よりも内側（左側の側縁３２Ａでは右側、右側の側縁３２Ｂでは左側）に位置するように傾斜していて、互いに「ハ」の字をなしている。両側縁３２Ａ，３２Ｂの傾斜角度θは特に限定されるものではないが、５°以上６０°以下であることが好ましく、５°以上３０°以下であることが特に好ましい。なお、両側縁３２Ａ，３２Ｂは、必ずしも斜めを向いている必要はなく、例えば上縁３０と垂直に交わっていて、互いに平行であってもよい。
【００２８】
発熱部３の横幅（左右方向の長さ）は、特に限定されるものではないが、２０ｃｍ以上８０ｃｍ以下であることが好ましく、４０ｃｍ以上５０ｃｍ以下であることが特に好ましい。一方、発熱部３の縦幅（上下方向の長さ）は、特に限定されるものではないが、５ｃｍ以上３０ｃｍ以下であることが好ましく、１０ｃｍ以上２０ｃｍ以下であることが特に好ましい。
【００２９】
人の肩幅（背肩幅を意図しており、具体的には、左右の肩峰点の間の体表長のことを指す。）がおおよそ３０ｃｍ〜４０ｃｍであるため、発熱部３の横幅を上述した範囲にすることで、図７に示すように、発熱部３を使用者の肩（背中の上部）に当てた際に、肩の左端から右端まで覆うことができる。よって、肩の凝りや痛みの原因である中部僧帽筋に対して発熱部３により温熱を効果的に与えることができる。なお、図８や図９に示すように、発熱部３を使用者の首の後側や腰に当てた際にも、首回りや腰の左端から右端まで十分に覆うことができる。
【００３０】
また、人の首の長さ（第二頚椎骨から第七頚椎骨までの長さ）がおおよそ８ｃｍ〜１０ｃｍであり、腰の位置にあたる第十二肋骨から骨盤上部までの長さがおおよそ８ｃｍ〜１２ｃｍであるため、発熱部３の縦幅を上述した範囲にすることで、図８や図９に示すように、発熱部３を使用者の首の後側や腰に当てた際に、首や腰の上端から下端まで覆うことができるので、首の凝りや痛みの原因である僧帽筋上部及び頭板状筋や、腰の凝りや痛みの原因である腰部の脊柱起立筋に対して発熱部３により温熱を効果的に与えることができる。なお、図７に示すように、発熱部３を使用者の肩（背中の上部）に当てた際にも、中部僧帽筋を十分に覆うことができる。
【００３１】
図１及び図４に示すように、発熱部３には、両側縁３２Ａ，３２Ｂの下端同士を結ぶように、発熱材料２の移動を規制する規制ライン３３が上縁３０と平行に設けられている。規制ライン３３によって、発熱部３は、規制ライン３３より上側の本体部３５と、規制ライン３３より下側の裾部３６とに区画されている。つまり、本体部３５の下側に規制ライン３３を介して裾部３６が配置されており、発熱部３の下縁３１は裾部３６の下縁に当たる。
【００３２】
発熱部３の本体部３５には、発熱材料２の移動を規制する規制ライン３４（以下、「第２規制ライン」という。）が左右方向に間隔をあけて複数設けられており、これにより、本体部３５は、複数の領域に区画されている。本実施形態では、本体部３５は、中央に位置する第１領域３５Ａと、第２規制ライン３４を介して第１領域３５Ａの左右に隣接して配置された第２領域３５Ｂ及び第３領域３５Ｃとを含むように第２規制ライン３４が設けられ、２本の第２規制ライン３４が縦中央線から左右方向に等距離に位置するように本体部３５に平行に設けられていて、第１領域３５Ａの左右方向の中央に縦中央線が位置している。
【００３３】
規制ライン３３及び第２規制ライン３４は、例えば発熱部３を構成する上述した２枚のシートを縫い合わせた縫い目で形成することができるが、接着などの他の方法を用いて２枚のシートを接合することで規制ライン３３及び第２規制ライン３４を形成してもよい。発熱部３内の発熱材料２は、発熱材料２自体の重みや使用時に適用する身体の部位の形状に応じて移動して、発熱部３のいずれかの部分に偏るおそれがある。しかし、規制ライン３３及び第２規制ライン３４により発熱材料２の移動を規制することで、発熱材料２が発熱部３のいずれかの部分に偏ることを防止して、発熱材料２を発熱部３内で均等に分散させることができる。
【００３４】
また、発熱部３に規制ライン３３及び第２規制ライン３４が設けられることにより、発熱材料２が充填された発熱部３は規制ライン３３及び第２規制ライン３４の位置において容易に折れ曲がる。よって、発熱部３が身体の表面形状に応じて変形して身体にフィットするので、発熱部３を身体の所定部位に密着させることができる。例えば図８に示すように、発熱部３を使用者の首の後側に当てた際には、本体部３５の中央の第１領域３５Ａが首の後ろに密着するとともに、左右の第２領域３５Ｂ及び第３領域３５Ｃが第１領域３５Ａに対して内側に折れ曲がって首の横側に密着するので、首回りに発熱材料２の温熱を効果的に与えることができる。そのうえ、裾部３６が首の下端の位置で本体部３５に対して外側に折れ曲がって首の付け根に密着するので、首の付け根に対しても発熱材料２の温熱を効果的に与えることができる。
【００３５】
本体部３５の各領域３５Ａ〜３５Ｃ及び裾部３６にそれぞれ発熱材料２が充填される。発熱材料２の充填量は、特に限定されるものではないが、発熱材料２にあずきを使用した場合、充填量は全体で４３５ｇ〜４４５ｇ程度であって、例えば４４０ｇが本体部３５の各領域３５Ａ〜３５Ｃ及び裾部３６に充填される。本体部３５の各領域３５Ａ〜３５Ｃ及び裾部３６の発熱材料２の充填率は同じであってもよいし、異なっていてもよい。本体部３５の各領域３５Ａ〜３５Ｃ及び裾部３６の発熱材料２の充填率（充填量）は、例えば第１領域３５Ａが約６８％（約１４０ｇ）、第２領域３５Ｂ及び第３領域３５Ｃが約８５％（約１００ｇ）、裾部３６が約６８％（約１００ｇ）とすることができる。
【００３６】
図１〜図４に示すように、一対のベルト部４は、発熱部３の両側縁３２Ａ，３２Ｂからそれぞれ左右方向に反対向きに延びている。一対のベルト部４は、縦幅（上下方向の長さ）よりも横幅（左右方向の長さ）が大きい帯状を呈している。一対のベルト部４の上縁４０は、直線状に形成されていて、発熱部３の上縁３０と一直線となるように繋がっている。一対のベルト部４の下縁４１も直線状に形成されているが、上縁４０に対して平行ではなく斜めを向いており、先端（左側の側縁３２Ａでは左端、右側の側縁３２Ｂでは右端）が基端よりも上側に位置するように傾斜している。これにより、一対のベルト部４は、先端に向かうに連れて縦幅（上下方向の長さ）が小さくなる先細り形状に形成されている。なお、一対のベルト部４は、少なくとも先端側の部分において、下縁４１が傾斜することで上述した先細り形状となっていて、基端側の部分は下縁４１が上縁４０と平行であってもよい。
【００３７】
一対のベルト部４の下縁４１は、発熱部３の下縁３１と滑らかに繋がっている。本明細書において、「滑らか」とは、角（明確に折れ曲がる屈曲点）を有していないことを意味しており、本実施形態では、直線状の下縁４１と、曲線状の下縁３１とが角を有さずに繋がっていることを指す。具体的には、直線状の下縁４１が、曲線状の下縁３１との接続部分Ｔ（発熱部３の両側縁３２Ａ，３２Ｂの下端）において、曲線状の下縁３１の接線方向に延びる（直線状の下縁４１の方向と曲線状の下縁３１の接線方向とが同一となる）ようにして、曲線状の下縁３１と接続されている。
【００３８】
なお、本実施形態では、一対のベルト部４の下縁４１と発熱部３の下縁３１との接続部分Ｔにおいて、ベルト部４の下縁４１は直線状であり、発熱部３の下縁３１は曲線状であるが、ベルト部４の下縁４１が曲線状であり、発熱部３の下縁３１が直線状であって、接続部分Ｔにおいて滑らかに接続されていてもよいし、ベルト部４の下縁４１及び発熱部３の下縁３１がともに曲線状であって、両曲線が接続部分Ｔにおいて接線の方向が同一となるようにして滑らかに接続されていてもよい。
【００３９】
一対のベルト部４の縦幅（上下方向の長さ）は、特に限定されるものではないが、一対のベルト部４は使用時の持ち手となり、使用者が持ちやすいとの観点からは、先端における縦幅は１ｃｍ以上２０ｃｍ以下であることが好ましく、４ｃｍ以上６ｃｍ以下であることが特に好ましく、基端における縦幅は１ｃｍ以上２０ｃｍ以下であることが好ましく、８ｃｍ以上１０ｃｍ以下であることが特に好ましい。
【００４０】
また、一対のベルト部４の横幅（左右方向の長さ）は、特に限定されるものではないが、温熱具１を図９に示すように腰に巻きつけたり、図示は省略するが背中にたすき掛けで巻き付けたりした場合に一対のベルト部４の先端部を互いに余裕をもって結ぶことができるとの観点から、一方のベルト部４の先端から発熱部３を横断して他方のベルト部４の先端までの長さとして５０ｃｍ以上２５０ｃｍ以下であることが好ましく、１３５ｃｍ以上１４０ｃｍ以下であることが特に好ましい。
【００４１】
上述した本実施形態の温熱具１によると、人の肩（背中の上部）、首の後側、腰、背中など、身体の複数の部位に一対のベルト部４を用いて発熱部３を宛がって固定することで、当該部位に温熱を与えることができる。
【００４２】
例えば図７に示すように、使用者は、発熱部３を肩（背中の上部）に当てた状態で両手を用いて一対のベルト部４を左右に引っ張った後、一対のベルト部４を身体の横から前方に引っ張ることで、発熱部３を肩（背中の上部）に押し当てて固定する。これにより、発熱部３に収容された発熱材料２から発生する温熱により肩（背中の上部）の筋肉をじっくりと温めることできる。
【００４３】
また、図８や図９に示すように、使用者は、発熱部３を首の後側や腰に当てた状態で両手を用いて一対のベルト部４を左右に引っ張った後、一対のベルト部４を身体の前で互いに結ぶことで、発熱部３を首や腰に巻き付けて固定する。これにより、発熱部３に収容された発熱材料２から発生する温熱により首や腰の筋肉をじっくりと温めることできる。
【００４４】
また、図示は省略するが、使用者は、発熱部３を斜めにして背中に当てた状態で両手を用いて一対のベルト部４を左右に引っ張った後、一対のベルト部４を身体の前で互いに結ぶことで、発熱部３を背中にたすき掛けで巻き付けて固定する。これにより、発熱部３に収容された発熱材料２から発生する温熱により背中の筋肉をじっくりと温めることできる。
【００４５】
このように、本実施形態の温熱具１によれば、従来技術のようにカバーを用いなくても、一対のベルト部４により発熱部３を身体の複数の部位に固定して当該部位に温熱を与えることができる。このとき、一対のベルト部４を左右に引っ張って発熱部３を身体の所定部位に固定するので、発熱部３の一対のベルト部４の間の本体部３５は身体の表面に強く押し付けられて密着する。さらに、発熱部３の下縁３１が一対のベルト部４の下縁４１と滑らかに繋がれていて、一対のベルト部４を左右に引っ張った際にこの引っ張り力により発熱部３の下縁３１が良好に身体に押し付けられて、身体の表面から浮かずに接触しやすくなる。よって、発熱部３の裾部３６も身体の表面に密着する。
【００４６】
以上のように、本実施形態の温熱具１によれば、発熱部３の全体が身体に良好に密着する。よって、温熱具１を首、肩、腰、背中などに当てて使用した際に、当該部位を広範囲に温めることができ、当該部位の凝りや痛みの原因である筋肉に効果的に温熱を与えることができる。特に図７に示すように、温熱具１を肩に当てて使用した際には、発熱部３の下縁３１が下側に向かって凸状に突き出ていることから、肩の凝りや痛みの原因となる中部僧帽筋に対して、中部僧帽筋の下部まで効果的に温熱を与えることができる。
【００４７】
また、本実施形態の温熱具１によれば、発熱部３の裾部３６は、規制ライン３３により本体部３５と区画されていることで身体の表面側に折れ曲がりやすくなっているので、一対のベルト部４を左右に引っ張った際に裾部３６が身体の表面に良好に密着する。よって、より効果的に温熱を与えることができる。
【００４８】
また、本実施形態の温熱具１によれば、一対のベルト部４の縦幅（上下方向の長さ）を発熱部３の縦幅よりも小さくしても、発熱部３の全体を身体に良好に密着させることができ、女性でも一対のベルト部４を容易に掴んで使用することができる。さらに、一対のベルト部４の少なくとも先端側の部分について先端に向かうに連れて縦幅が小さくなるように形成することで、一対のベルト部４をより容易に掴むことが可能となる。
【００４９】
また、本実施形態の温熱具１によれば、発熱部３の両側縁３２Ａ，３２Ｂは、上端が下端よりも内側に位置するように傾斜しているので、図８に示すように、温熱具１を首に巻いた際に、発熱部３の両側縁３２Ａ，３２Ｂの上端が内側に折れ曲がって首の表面から浮くことなく接触する。よって、発熱部３の本体部３５の左右の第２領域３５Ｂ及び第３領域３５Ｃを首の横側に良好に密着させることができる。
【００５０】
また、本実施形態の温熱具１によれば、発熱部３の上縁３１と一対のベルト部４の上縁４０とが一直線となるように繋がれているので、図８に示すように、温熱具１を首に巻いた際に一対のベルト部４が顔などに対して邪魔にならない。
【００５１】
また、本実施形態の温熱具１によれば、発熱部３に規制ライン３３及び第２規制ライン３４が設けられているので、発熱部３内で発熱材料２が偏ることを防止することができる。また、発熱部３の本体部３５は、第２規制ライン３４により容易に折れ曲がり、身体の表面形状に応じて変形してフィットする。よって、発熱部３の本体部３５を例えば図８に示すような首などの身体の所定部位に対して良好に密着させることができる。
【００５２】
以上、本発明の実施形態について説明したが、本発明は上記実施形態に限定されるものではなく、本発明の趣旨を逸脱しない限りにおいて種々の変更が可能である。
【００５３】
例えば、上記実施形態の温熱具１では、発熱部３の下縁３１が略三角形状に形成されているが、下縁３１は、下側に向かって凸状に突き出ていればよく、例えば角部が丸みを帯びた略台形状などに形成されていてもよい。
【００５４】
また、上記実施形態の温熱具１では、発熱部３の本体部３５に第２規制ライン３４が設けられていることで、本体部３５は三連の領域３５Ａ〜３５Ｃに分けられているが、第２規制ライン３４は必ずしも設ける必要はなく、本体部３５は裾部３６と同じようにひと続き（一連）の領域であってもよい。
【００５５】
また、上記実施形態の温熱具１では、発熱部３に規制ライン３３が設けられているが、規制ライン３３は必ずしも設けられている必要はない。
【００５６】
また、上記実施形態の温熱具１では、発熱部３の左右の側縁３２Ａ，３２Ｂが斜めを向いているが、左右の側縁３２Ａ，３２Ｂは、上縁３０と垂直に交わっていて、互いに平行であってもよい。
【００５７】
また、上記実施形態の温熱具１では、一対のベルト部４の上縁４０は、発熱部３の上縁３０と一直線となるように繋がっているが、必ずしも一直線に繋がっている必要はない。
【００５８】
また、上記実施形態の温熱具１では、一対のベルト部４の少なくとも先端側の部分について先端に向かうに連れて縦幅が小さくなるように形成されているが、先端から基端まで一対のベルト部４の縦幅は一定であってもよい。
【００５９】
また、上記実施形態の温熱具１では、発熱部３及び一対のベルト部４が一体的に形成されているが、それぞれを別体とし、発熱部３の両側縁３２Ａ，３２Ｂに一対のベルト部４の一方の側縁を例えば縫い合わせるなどして互いを連結してもよい。
【符号の説明】
【００６０】
１    温熱具
２    発熱材料
３    発熱部
４    ベルト部
３０  発熱部の上縁
３１  発熱部の下縁
３２Ａ  発熱部の左側縁
３２Ｂ  発熱部の右側縁
３３  規制ライン
３４  第２規制ライン
３５  本体部
３５Ａ  第１領域
３５Ｂ  第２領域
３５Ｃ  第３領域
３６  裾部
４０  ベルト部の上縁
４１  ベルト部の下縁  
【図１】
2020081414.tif 000003
【図２】
2020081414.tif 000004
【図３】
2020081414.tif 000005
【図４】
2020081414.tif 000006
【図５】
2020081414.tif 000007
【図６】
2020081414.tif 000008
【図７】
2020081414.tif 000009
【図８】
2020081414.tif 000010
【図９】
2020081414.tif 000011